(57)【要約】      （修正有）【課題】製造が容易で構造が簡単な、顔面との接合性及び追随性を向上させるようにしたアイマスクを提供する。【解決手段】複数の小孔３からなる眼部３０を有する柔軟性シートの本体部２と、前記本体部の裏側に弾力性のある環状の裏面当接体１とを備え、前記裏面当接体は環状の弾力性のある内板１１と、この内板より肉厚が厚い環状の弾力性のある外板１２との二重構造よりなり、しかも前記裏面当接体の前記内板の弾力性に対し、前記外板の弾力性を大きくすると共に前記裏面当接体の外周に形成されたフランジ１３，１４を前記本体部の外周に固着し、さらに前記裏面当接体の前記外板の表面にフェルト材のカバーを被覆したアイマスクである。【選択図】図２
2012170800.tif 000002
【特許請求の範囲】
【請求項１】
複数の小孔からなる眼部を有する柔軟性シートの本体部と、
前記本体部の裏側に弾力性のある環状の裏面当接体とを備え、
前記裏面当接体は環状の弾力性のある内板と、この内板より肉厚が厚く環状の弾力性のある外板との二重構造よりなることを特徴とするアイマスク。
【請求項２】
前記裏面当接体の前記内板の弾力性に対し、前記外板の弾力性を大きくしたことを特徴とする請求項１記載のアイマスク。
【請求項３】
前記裏面当接体の外周に形成されたフランジを前記本体部の外周に固着したことを特徴とする請求項１記載のアイマスク。
【請求項４】
前記裏面当接体の外板の表面にフェルト材のカバーを被覆したことを特徴とする請求項１記載のアイマスク。
【発明の詳細な説明】
【技術分野】
【０００１】本発明はピンホールを設けたアイマスクに関する。
【背景技術】
【０００２】  従来、広く普及しているアイマスクは、一般に、両眼を覆う形状の柔軟性シートからなるアイマスク本体の裏面外周に環状の裏面当接体が固着されており、この裏面当接体は袋状に形成された外皮とこの外皮内に弾性部材が充填された構成になっている。（例えば、特許文献１）
【先行技術文献】
【特許文献】
【０００３】
【特許文献１】特開平５−５１１３８号公報
【発明の概要】
【発明が解決しようとする課題】
【０００４】  従来のアイマスクは、以上のように構成されていたため、次のような課題が存在していた。すなわち、アイマスクとして顔面に装着した場合は種々形状の異なる人の顔面に追随させて密着し易くし、また顔面への非装着の場合は収納性を良くして携帯し易くするため平板状になることが要望されている。【０００５】  しかしながら、前記裏面当接体は袋状の外皮内に弾性部材を充填した構成になっていると、顔面への非装着時には平板状の状態に復元し易いが、装着時に人の顔面に追随して密着させるにはアイマスクを強く顔面に巻きつけることになり、人によっては長時間アイマスクを装着すると、頭に緊迫感を感じ頭痛になることもあり、例えば、海外旅行の機内において長時間使用することは困難な場合もあった。【０００６】  本発明は、以上のような課題を解決するためになされたもので、特に、顔面に当接する裏面当接体に弾性を持たせながら、柔軟性をよくし、顔面へ追随して確実に密着できるようにしたアイマスクを提供することを目的とする。
【課題を解決するための手段】
【０００７】  上述した課題を解決し、かつ目的を達成するために、この発明は以下のように構成した。【０００８】  請求項１に記載の発明は、複数の小孔からなる眼部を有する柔軟性シートの本体部と、前記本体部の裏側に環状の裏面当接体とを備え、
前記裏面当接体は環状の弾力性のある内板と、この内板より肉厚が厚く環状の弾力性のある外板との二重構造よりなることを特徴とするアイマスクである。【０００９】  請求項２に記載の発明は、前記裏面当接体の前記内板の弾力性に対し、前記外板の弾力性を大きくしたことを特徴とする請求項１記載のアイマスクである。【００１０】  請求項３に記載の発明は、前記裏面当接体の外周に形成されたフランジを前記本体部の外周に溶着したことを特徴とする請求項１記載のアイマスクである。【００１１】  請求項４に記載の発明は、前記裏面当接体の前記外板の表面にフェルト材のカバーを被覆したことを特徴とする請求項１記載のアイマスクである。
【発明の効果】
【００１２】  前記の構成により、この発明は以下の効果を有する。【００１３】  請求項１乃至請求項４に記載の発明では、従来よりも裏面当接体の弾性力を低下させることなく、顔面への追随性をよくし、密着性を大幅に向上させることにより長時間の使用においても何らの疲れもなく使用できるものでる。
【図面の簡単な説明】
【００１４】
【図１】本発明におけるアイマスクの裏面を示す平面図である。
【図２】図１のＡ−Ａ線による拡大断面図である。
【図３】図１のＢ−Ｂ線による拡大断面図である。
【図４】本発明におけるフェルト材を被覆した例を示す拡大断面図である。
【図５】本発明における複数の塊体を設けた例を示す拡大断面図である。
【発明を実施するための形態】
【００１５】  以下、この発明のアイマスクの実施の形態について説明する。この発明の実施の形態は発明の形態は、発明の最も好ましい形態を示すものであり、この発明はこれに限定されない。
【００１６】  図１から図５において符号１で示されるものは全体が柔軟性シートよりなり、複数の小孔３を設けた一対の眼部３０（片方のみの場合もある）を有する本体部２に設けられた裏面当接体であり、この裏面当接体１は環状の弾性材からなる内板１１と、この内板１１に重ねた環状の弾性材の外板１２で、この外板１２は前記内板１１より肉厚が厚くなっている。このように前記裏面当接体１は前記内板１１と前記外板１２の二重構造からなる。なお、眼部３０は外を見るためのものである。
【００１７】  前記裏面当接体１の前記内板１１と前記外板１２の内外周縁を突出させることにより、前記裏面当接体１の内外周に内フランジ１３と外フランジ１４が形成される。前記裏面当接体１の外周の前記外フランジ１４は前記本体部２の外周に接着又は一体成形あるいは熱圧着等の何れかによって一体状に設けられており、前記裏面当接体１の前記内フランジ１３は前記本体部２とは非接続の自由端になっている。
【００１８】  従って、前記内フランジ１３は前記本体部２とは離間して浮いた状態になっており、従来のように前記本体部２に固定された構成と比較すると、その顔面への装着時における弾性力は大幅に向上し、顔面に対するフィット性、接合性、追随性が大きく向上する。なお、この裏面当接体１と前記本体部２との接続は、一体成形、二体による接着、熱圧着等による一体状構成の何れの手段でも可能である。
【００１９】  また、前記本体部２の両側端に延長してひも取付け部１５を形成し、このひも取付け部１５の裏面にも前記裏面当接部１の前記外フランジ１４より延長した前記内板突出部１６と前記外板突出部１７を重ね合わせる。
【００２０】  前記内板突出部１６及び前記外板突出部１７が重なる前記ひも取付け部１５に一対のひも孔１８が形成され、このひも孔１８にはゴムひも（図示せず）を取付け、このゴムひもを顔面の耳に掛け、前記本体部２中央に形成された凹部２２に鼻を掛かることにより、アイマスクの前記本体部２が顔面に装着される。
【００２１】  図４は、前記裏面当接体１の前記外板１２の表面にフェルト材のカバー１９を被覆した構成にし、顔面への接触を滑らかにし密着性を向上させた。なお、フェルト材の前記カバー１９以外は全く同じ構成なので同一の符号にて示し説明は省略した。
【００２２】  また図５は、前記裏面当接体１の前記内板１１から前記外板１２に繋がる貫通孔２０を設け、この貫通孔２０に天然鉱石（例えば、ウラン鉱石等の希有元素を含む鉱石）よりなる塊体２１を挿入し、前記外板１２の表面より前記塊体２１の一部を露出させことにより、前記塊体２１が目の周囲のツボに接触することになり、顔面を含め頭部全体の血流が促進され、目に酸素と栄養が送られ視力機能及び健康の促進となる。なお、前記塊体２１の設置以外は全く同じ構成なので同一の符号にて示し説明は省略した。
【００２３】  以上の構成によるアイマスクを顔面に装着すると、前記裏面当接体１の弾性力が従来構成よりも大幅に向上しているため、顔面へのフィット性、接触性、追随性に秀れ、従来とは比較できないほど、長時間使用が可能となった。
【００２４】  本発明によるアイマスクにおいては、前記本体部２に設けられた前記裏面当接体１は環状の弾力性のある前記内板１１と、この内板１１より肉厚が厚く環状の弾力性のある前記外板１２との二重構造よりなるので、アイマスクの非装着の平板形状への戻り易さは変わらず、アイマスクを顔面に装着した場合、顔面の凹凸に応じてフィットしやすく、顔面への弾性力が従来よりも大きくなり、長時間の使用においても疲れないアイマスクを得ることができる。
【産業上の利用可能性】
【００２５】  本発明はアイマスクに関し、特に、非装着時にアイマスクの復元性を低下させることなく、アイマスクの装着時に顔面との接合性及び追随性がよくなり、視力機能の向上が期待される。
【符号の説明】
【００２６】１    裏面当接体
１１    内板
１２    外板
２    本体部
３    小孔
３０  眼部
【図１】
2012170800.tif 000003
【図２】
2012170800.tif 000004
【図３】
2012170800.tif 000005
【図４】
2012170800.tif 000006
【図５】
2012170800.tif 000007